(57)【要約】【課題】  形成し易く且つ基板に影響を与えずに台座の回転を規制した時計用表示板を提供することにある。【解決手段】  台座１０の取付部１０ａは、横断面が矩形となる柱体からなり、その角部が曲面からなる。基板１６に設けられた孔１６ａは、取付部１０ａに合わせて台座の回転を規制する形状に形成されている。これにより、台座１０の取付部１０ａを基板１６の孔１６ａに嵌入すると、取付部１０ａの外面と孔１６ａの内面が回転方向に当接することで回転が規制される。また、角部を曲面にすることで、基板１６の孔１６ａの角部に嵌入時の力が集中して損傷することを防ぐことができる。【選択図】  図１
2008076258.tif 000002
【特許請求の範囲】
【請求項１】
貴石を固定する台座を基板に取り付けた時計用表示板であって、
前記台座の下方に設けられた取付部を前記基板の孔に嵌入することにより前記台座を前記基板に取り付け、前記取付部と孔を適合する形状に形成すると共に前記取付部を孔に嵌入したときに前記台座の回転を規制する形状に形成したことを特徴とする時計用表示板。
【請求項２】
前記基板は上板と下板からなり、該上板と下板にそれぞれ設けられた孔の一方又は両方の形状を、前記台座の回転を規制する形状に形成したことを特徴とする請求項１記載の時計用表示板。
【請求項３】
前記取付部は、横断面が多角形又は楕円となる柱体からなることを特徴とする請求項１又は２記載の時計用表示板。
【請求項４】
前記取付部は、横断面が多角形になると共にその角部が曲面をなす柱体からなることを特徴とする請求項１又は２記載の時計用表示板。
【請求項５】
前記基板は上板と下板からなり、該上板と下板にそれぞれ孔が設けられ、
前記取付部は前記下板の孔に嵌入される先端部と前記上板の孔に嵌入される根元部を有し、
前記下板の孔及び前記先端部の形状と、前記上板の孔及び前記根元部の形状の一方を前記台座の回転を規制する形状に形成したことを特徴とする請求項１記載の時計用表示板。
【請求項６】
前記取付部の先端部又は根元部は、横断面が多角形又は楕円となる柱体からなることを特徴とする請求項５記載の時計用表示板。
【請求項７】
前記取付部の先端部又は根元部は、横断面が多角形になると共にその角部が曲面をなす柱体からなることを特徴とする請求項５記載の時計用表示板。
【請求項８】
前記角部の曲面は、前記台座の軸を中心とする同一円の一部からなることを特徴とする請求項４又は７記載の時計用表示板。
【発明の詳細な説明】
【技術分野】
【０００１】
本発明は、ダイヤモンド等の貴石を固定する台座が取り付けられた時計用表示板に関するものであり、特に、台座の位置規制を簡単かつ確実に行なうことを可能にするものに関する。
【背景技術】
【０００２】
従来、貴石を固定する台座が取り付けられた時計用表示板は、図１４及び図１５に示すような構造からなるものであった。この時計用表示板では、基板２に設けられた円形の孔２ａに、台座４の下部に設けられた円柱状の取付部４ａを嵌め込むことにより、台座４を基板２に取り付けていた（例えば、特許文献１参照）。また、この台座４の上部には、貴石６を保持する円筒形状をなす保持部４ｂが設けられており、その周状壁を内方にかしめたり、その弾性によって貴石６を保持するものとなっていた。
【０００３】
この台座４は、下部の取付部４ａだけでなく、上部の保持部４ｂも円筒形状をなすものであるため、基板２に取り付けるときに台座４の軸を中心として回転したとしても保持部４ｂの向きに影響が出ることはない。ところが、図１６に示すように、貴石６を保持する保持部４ｂの平面形状が矩形をなすものであると、台座４がわずかに回転しただけで破線で示す正規位置からずれていることがわかり、回転を規制することが望まれていた。特に、図１７に示すように、時字のように放射状に台座４を取り付ける場合、台座４の向きを個々に定めて取り付けることが必要であり、位置ずれを起こし易い。このため、台座４をこのように配置する場合、保持部４ｂが矩形のものではなく円形をなすものを使用することが多かったが、矩形のものに比べて高級感あるいは目新しさに欠けるという問題があった。
【特許文献１】実開平５−８７５９０号公報
【発明の開示】
【発明が解決しようとする課題】
【０００４】
本発明が解決しようとする課題は、上記従来技術の問題点を解決し、形成し易く且つ基板に影響を与えずに台座の回転を規制した時計用表示板を提供することにある。
【課題を解決するための手段】
【０００５】
本発明の時計用表示板は、貴石を固定する台座を基板に取り付けた時計用表示板であって、前記台座の下方に設けられた取付部を前記基板の孔に嵌入することにより前記台座を前記基板に取り付け、前記取付部と孔を適合する形状に形成すると共に前記取付部を孔に嵌入したときに前記台座の回転を規制する形状に形成したものである。この時計用表示板における前記基板は上板と下板からなり、該上板と下板にそれぞれ設けられた孔の一方又は両方の形状を、前記台座の回転を規制する形状に形成している。また、前記取付部は、横断面が多角形又は楕円となる柱体からなる。また、前記取付部は、横断面が多角形になると共にその角部が曲面をなす柱体からなる。また、前記基板は上板と下板からなり、該上板と下板にそれぞれ孔が設けられ、前記取付部は前記下板の孔に嵌入される先端部と前記上板の孔に嵌入される根元部を有し、前記下板の孔及び前記先端部の形状と、前記上板の孔及び前記根元部の形状の一方を前記台座の回転を規制する形状に形成したものである。また、前記取付部の先端部又は根元部は、横断面が多角形又は楕円となる柱体からなる。また、前記取付部の先端部又は根元部は、横断面が多角形になると共にその角部が曲面をなす柱体からなる。また、前記角部の曲面は、前記台座の軸を中心とする同一円の一部からなる。
【発明の効果】
【０００６】
本発明の時計用表示板では、台座下方の取付部と基板の孔を、互いに適合する形状で且つ台座の回転を規制する形状に形成しているので、基板に取り付けた台座がその軸に関して回転することがなく、簡単かつ確実に設定した向きで取り付けることができる。特に、台座の取付部をその横断面が多角形又は楕円となる柱体で形成し、基板の孔をこれと同形状の内部形状とすることで形成し易く且つ確実に台座の回転を規制することができる。
【０００７】
また、台座の取付部の横断面と基板の孔の内部形状を多角形に形成した場合に、その角部を曲面、特に台座の軸を中心とする円の一部からなる曲面にすると共に基板の孔も同様に形成することで、角と角が当たる基板の孔の角部の損傷を防ぐことができる。これにより、貝、貴石等の破損し易い材料が表面側に設けられた基板であっても、孔の角部にクラックが入ることがなく、品質を高めることができる。
【０００８】
また、本発明においては、基板を上板と下板で構成した場合、上板と下板にそれぞれ設けた孔の一方又は両方の形状を台座の取付部の形状に合わせて回転を規制する形状に形成している。特に、上板が貝等からなる、下板が金属からなる場合、上板の孔を形成が容易で損傷しにくい形状に形成し、下板の孔を台座の取付部と共に回転規制する形状に形成することで、上板に負担をかけることなく回転規制をして台座を取り付けることができる。
【発明を実施するための最良の形態】
【０００９】
本発明の時計用表示板においては、台座の下方に設けられた取付部と基板の孔を適合する形状に形成すると共に、取付部を孔に嵌入したときに台座の回転を規制する形状に形成している。この台座の取付部は、横断面が多角形又は楕円となる柱体からなり、多角形の場合にはその角部が同一円の一部等の曲面からなる。また、基板は、上板と下板からなり、この上板と下板にそれぞれ設けられた孔の一方又は両方の形状を台座の取付部に合わせて台座の回転を規制する形状に形成している。また、上板と下板の孔と、その各孔に嵌入される台座の取付部の根元部と先端部を、それぞれ適合する形状に形成すると共にその一方を台座の回転を規制する形状に形成している。これにより、台座の取付部を基板の孔に嵌入すると台座の取付部の外面と基板の孔の内面が回転方向に当接することで軸に関する回転が規制される。また、台座の取付部の横断面形状と基板の孔の平面形状を多角形に設定しても、その角部を曲面にすることで、基板の孔の角部に嵌入時の力が集中して損傷することを防いでいる。
【実施例１】
【００１０】
図１は本発明の実施例１に係る時計用表示板の要部を示す分解斜視図、図２は図１に示す時計用表示板の要部断面図、図３は図１に示す台座の取付部の底面図、図４は図１に示す台座の縦断面図、図５は図４に示す台座の平面図である。
【００１１】
１０は台座であり、その下方に横断面が矩形をなす角柱体からなる取付部１０ａが設けられている。図３に示すように、この取付部１０ａの角部１０ｂは、台座１０の軸を中心とする円１２（破線部分）の一部に合致する曲面により構成されている。また、この取付部１０ａの中央には、後述する保持部に収められる貴石の先端を逃げるための貫通孔１０ｆが設けられている。また、台座１０の上方には、平面形状が矩形をなす保持部１０ｃが設けられている。この保持部１０ｃの内部には、図２及び図４に示すように、貴石１４の形状に合うように縁部分から中央に向かって下り勾配となる斜面からなる貴石載置部１０ｄが形成されている。また、保持部１０ｃの角部１０ｂには、それぞれ上方に立ち上がる爪部１０ｅが設けられており、図２に示すように、この爪部１０ｅを内方にかしめて貴石１４の一部に被せることにより貴石１４を保持するものとなっている。
【００１２】
１６は基板であり、台座１０を取り付ける位置に孔１６ａが形成されている。この孔１
６ａは、台座１０の取付部１０ａに適合するように平面形状が取付部１０ａと同様の矩形をなすと共にその角部も取付部１０ａと同様に曲面をなし、取付部１０ａよりもわずかに大きい相似形状となるように形成されている。
【００１３】
上記構成からなる台座１０は、次のように基板１６に取り付けられる。はじめに、台座１０の保持部１０ｃの貴石載置部１０ｄに貴石１４を載置し、爪部１０ｅをかしめて貴石１４を台座１０に固定する。次に、基板１６の孔１６ａに台座１０の取付部１０ａを嵌入する。このときに孔１６ａと取付部１０ａの角部１０ｂは、共に曲面をなすものであるため、鋭利な角部がぶつかり合って損傷することを防ぐことができる。このように取付部１０ａを孔１６ａに嵌入する際又は嵌入した後、必要に応じてカシメ、接着、溶接、圧入等の慣用技術を用いて固定する。このように基板１６に台座１０を取り付けると、取付部１０ａと孔１６ａの平面形状が矩形であるため台座１０がその軸に関して回転することが規制される。このため、孔１６ａの位置と向きを予め設定することで、台座１０の位置と向きを簡単かつ精度良く設定することができる。
【００１４】
また、上記時計用表示板における基板１６は、金属、プラスチック等からなる一枚の基板であるが、図６に示すように、上板１６ｂと下板１６ｃからなる基板１６を使用しても良い。この基板１６における下板１６ｃは金属板からなり、上板１６ｂは貝、貴石等の素材からなるものであり、それぞれに連通する孔１６ｄ，１６ｅが設けられている。この孔１６ｄ，１６ｅは、前述した孔１６ａと同じ形状に形成されており、台座１０の取付部１０ａを嵌入することで台座１０の回転を規制しつつ基板１６に取り付けることができる。特に、取付部１０ａと孔１６ｄの角部を曲面とすることで、上板１６ｂが貝等の比較的損傷し易い材質で構成されていても、嵌入時の力で過度部にクラックが発生することを防ぐことができる。
【００１５】
尚、本実施例では、孔１６ｄ，１６ｅの両方を取付部１０ａの形状に合致する形状に形成しているが、孔１６ｄ，１６ｅの一方だけを取付部１０ａの形状に合致する形状にしても良い。この場合、孔１６ｄ，１６ｅの他方の平面形状は、取付部１０ａが内接する円形等に形成すれば良い。例えば、図７に示すように、上板１６ｂの孔１６ｄを矩形に形成し、下板１６ｃの孔１６ｅを取付部１０ａが内接する円形に形成する。
【実施例２】
【００１６】
図８は本発明の実施例２に係る時計用表示板の要部を示す分解斜視図、図９は図８に示す時計用表示板の要部断面図、図１０は図８に示す台座の取付部の底面図、図１１は図８に示す台座の縦断面図、図１２は図１１に示す台座の平面図である。本実施例における時計用表示板は、前述した実施例１と基本的に同様の構成からなるものであるが、上板１６ｂと下板１６ｃからなる基板１６を使用し、更に、その上板１６ｂと下板１６ｃにそれぞれ形成される孔と、各孔に嵌入する台座１０の取付部１０ａの根元部と先端部を、それぞれ適合する形状にすると共に、その一方を台座１０の回転を規制する形状に形成したものとなっている。
【００１７】
即ち、図８及び図９に示すように、本実施例における基板１６は、貝、貴石等からなる上板１６ｂと金属、プラスチック等からなる下板１６ｃにより構成されている。この上板１６ｂと下板１６ｃには、連通すると共に互いに平面形状が異なる孔１６ｇ，１６ｈが設けられている。また、台座１０の取付部１０ａには、孔１６ｇ，１６ｈにそれぞれ嵌入される根元部１０ｇ、先端部１０ｈが設けられている。
【００１８】
本実施例における取付部１０ａの根元部１０ｇは、前述した実施例１の取付部１０ａと同様に、横断面が矩形をなす角柱体からなり、図１０に示すように、その角部が台座１０の軸を中心とする円１２の一部に合致する曲面になっている。また、取付部１０ａの先端
部１０ｈは、その横断面が根元部１０ｇの矩形内に収まる円形をなす円柱体からなる。
【００１９】
また、本実施例における上板１６ｂの孔１６ｇは、取付部１０ａの根元部１０ｇに適合するように平面形状が根元部１０ｇと同様の矩形をなすと共にその角部も根元部１０ｇと同様に曲面をなし、根元部１０ｇよりもわずかに大きい相似形状となるように形成されている。また、下板１６ｃの孔１６ｈは、取付部１０ａの先端部１０ｈに適合するように平面形状が円形をなし、先端部１０ｈの外形よりもわずかに内径が大きくなるように形成されている。
【００２０】
上記構成からなる取付部１０ａを孔１６ｇ，１６ｈに嵌入すると、先端部１０ｈは上板１６ｂの孔１６ｇを通過して下板１６ｃの孔１６ｈに嵌まり、根元部１０ｇは上板１６ｂの孔１６ｇに嵌まることになる。この構造においては、根元部１０ｇが上板１６ｂの孔１６ｇに嵌入することで台座１０の軸方向への回転を規制し、先端部１０ｈが下板１６ｃの孔１６ｈに嵌入することで台座１０を確実に基板１６に取り付けることができる。尚、本実施例においても、必要に応じてカシメ、接着、溶接、圧入等の慣用技術によって台座１０を基板に固定している。
【００２１】
上記のように本実施例においては、取付部１０ａの根元部１０ｇ及び先端部１０ｈと上板１６ｂの孔１６ｇ及び下板１６ｃの孔１６ｈがそれぞれ適合しているので、より確実かつ強固に台座１０を基板１６に取り付けることができる。
【００２２】
また、取付部１０ａの根元部１０ｇ及び先端部１０ｈと孔１６ｇ，１６ｈがそれぞれ適合すると共にその一方だけで台座１０の回転を規制することができるので、上板１６ｂに貝、貴石等の比較的損傷し易い材料を使用したとしても、上板１６ｂの孔１６ｇの負担を軽減してその損傷を防ぐことができる。例えば、図１３に示すように、取付部１０ａの根元部１０ｇの横断面を円形にすると共に上板１６ｂの孔１６ｇの平面形状を同様の円形に設定し、先端部１０ｈの横断面を矩形にすると共に下板１６ｃの孔１６ｈの平面形状を同様の矩形に設定することで、孔１６ｇを形成し易い形状にすることができると共に台座１０の回転規制による負担を軽減することができる。これによって、上板１６ｂに貝等の素材を使用しても、孔１６ｇを容易に形成することができると共に台座１０の取り付けによるクラックの発生を防ぐことができる。
【００２３】
尚、上記実施例１及び２における取付部１０ａの断面形状と基板１６の孔１６ａ，１６ｄ，１６ｅ，１６ｇ，１６ｈの平面形状は、円形、矩形、楕円形に限定されるものではなく、三角形、五角形等の多角形、あるいは台座１０の回転を規制する形状であればその他の形状であっても良い。
【産業上の利用可能性】
【００２４】
本発明の時計用表示板においては、貴石を固定する台座を基板に取り付けているが、同様の構成を利用して、上板及び下板からなる基板に時字、マーク等を取り付けることが可能である。
【図面の簡単な説明】
【００２５】
【図１】本発明の実施例１に係る時計用表示板の要部を示す分解斜視図である。
【図２】図１に示す時計用表示板の要部断面図である。
【図３】図１に示す台座の取付部の底面図である。
【図４】図１に示す台座の縦断面図である。
【図５】図４に示す台座の平面図である。
【図６】図２に示す時計用表示番において上板と下板からなる基板を用いた構造を示す要部断面図である。
【図７】図１に示す時計用表示板における上板の孔を矩形に形成し、下板の孔を取付部が内接する円形に形成した構造を示す分解斜視図である。
【図８】本発明の実施例２に係る時計用表示板の要部を示す分解斜視図である。
【図９】図８に示す時計用表示板の要部断面図である。
【図１０】図８に示す台座の取付部の底面図である。
【図１１】図８に示す台座の縦断面図である。
【図１２】図１１に示す台座の平面図である。
【図１３】図８に示す時計用表示板における取付部と孔の形状を変更した例を示す分解斜視図である。
【図１４】従来の時計用表示板における台座の取付構造を示す断面図である。
【図１５】図１４に示す取付構造の分解斜視図である。
【図１６】矩形の台座が回転してずれた状態を示す説明図である。
【図１７】図１６に示す台座を放射状に基板に取り付けたときの状態を示す説明図である。
【符号の説明】
【００２６】
２      基板
２ａ    孔
４      台座
４ａ    取付部
４ｂ    保持部
６      貴石
１０    台座
１０ａ  取付部
１０ｂ  角部
１０ｃ  保持部
１０ｄ  貴石載置部
１０ｅ  爪部
１０ｆ  貫通孔
１０ｇ  根元部
１０ｈ  先端部
１２    円
１４    貴石
１６    基板
１６ａ  孔
１６ｂ  上板
１６ｃ  下板
１６ｄ，１６ｅ  孔
１６ｇ，１６ｈ  孔
【図１】
2008076258.tif 000003
【図２】
2008076258.tif 000004
【図３】
2008076258.tif 000005
【図４】
2008076258.tif 000006
【図５】
2008076258.tif 000007
【図６】
2008076258.tif 000008
【図７】
2008076258.tif 000009
【図８】
2008076258.tif 000010
【図９】
2008076258.tif 000011
【図１０】
2008076258.tif 000012
【図１１】
2008076258.tif 000013
【図１２】
2008076258.tif 000014
【図１３】
2008076258.tif 000015
【図１４】
2008076258.tif 000016
【図１５】
2008076258.tif 000017
【図１６】
2008076258.tif 000018
【図１７】
2008076258.tif 000019